(57)【要約】【課題】比較的安価に作製できかつ比較的多くの雨水を貯留可能であって、各剛性パイプ間の連結力を高める。【解決手段】パイプの集合体１１は、水平方向に所定の間隔をあけて鉛直に立てられた複数本の剛性パイプ１４と、複数本の剛性パイプ１４を互いに平行に連結するパイプ連結手段１３とを備え、シートに被包されて貯水槽を構成する。パイプ連結手段１３が、剛性パイプ１４のパイプ中心軸に直交しかつ一端又は両端が剛性パイプ１４の外周面から突出するように剛性パイプ１４に固定された固定板１６と、一の剛性パイプ１４に固定された一方の固定板１６と一の剛性パイプ１４に隣接する他の剛性パイプ１４に固定された他方の固定板１６を互いに締結する締結手段１７とを備える。剛性パイプ１４に形成された取付孔に互いに直交するように一対の固定板を挿通し、その双方を剛性パイプ１４の内部で係合させることにより一対の固定板を剛性パイプに固定する。【選択図】  図１
2005336877.tif 000002
【特許請求の範囲】
【請求項１】
水平方向に所定の間隔をあけて鉛直に立てられた複数本の剛性パイプ(14)と、前記複数本の剛性パイプ(14)を互いに平行に連結するパイプ連結手段(13)とを備え、シート(12)に被包されて貯水槽(10)を構成するパイプの集合体(11)において、
前記パイプ連結手段(13)が、
前記剛性パイプ(14)のパイプ中心軸に直交しかつ一端又は両端が前記剛性パイプ(14)の外周面から突出するように前記剛性パイプ(14)に固定された固定板(16)と、
一の剛性パイプ(14)に固定された一方の固定板(16)と前記一の剛性パイプ(14)に隣接する他の剛性パイプ(14)に固定された他方の固定板(16)を互いに締結する締結手段(17)と
を備えたことを特徴とする貯水槽用パイプの集合体。
【請求項２】
剛性パイプ(14)の周囲に形成された取付孔(14a)に互いに直交するように一対の固定板(16,16)が挿通され、前記一対の固定板(16,16)の双方を前記剛性パイプ(14)の内部で係合させることにより前記一対の固定板(16,16)が前記剛性パイプ(14)に固定された請求項１記載の貯水槽用パイプの集合体。
【請求項３】
直交する一対の固定板(16,16)の係合が双方の前記一対の固定板(16,16)にそれぞれ形成された凹部(16a,16a)を互いに嵌合させることにより行われる請求項２記載の貯水槽用パイプの集合体。
【請求項４】
一端が前記剛性パイプ(14)の外周面から突出する固定板(16)の他端がスペーサ部材(19)を介して取付孔(14a)に装着された請求項２又は３記載の貯水槽用パイプの集合体。
【請求項５】
取付孔(14a)の断面形状が固定板(16)の断面形状より大きく形成され、前記取付孔(14a)に挿通された前記固定板(16)の外周面と前記取付孔(14a)の内周面との隙間をくさび(18)により塞ぐ請求項２ないし４いずれか１項に記載の貯水槽用パイプの集合体。
【請求項６】
締結手段(17)が、一方の固定板(16)と他方の固定板(16)の双方に重合可能に構成された連結板(21)と、前記一方の固定板(16)と前記他方の固定板(16)の双方に前記連結板(21)を固定するねじ手段(22)とを備えた請求項１なし５いずれか１項に記載の貯水槽用パイプの集合体。
【請求項７】
ねじ手段(22)により一方の固定板(16)と他方の固定板(16)の双方に固定された連結板(21)の上縁又は下縁が剛性パイプ(14)の上端縁又は下端縁と面一になるように構成された請求項６記載の貯水槽用パイプの集合体。
【発明の詳細な説明】
【技術分野】
【０００１】
本発明は、複数本の剛性パイプが連結手段により互いに連結され、シートに被包されて貯水槽を構成する貯水槽用パイプの集合体に関するものである。
【背景技術】
【０００２】
従来、雨水を有効に利用するための設備として、雨水を貯留するように構成された貯水槽を地下に埋設したものが知られている。この設備では、家屋の屋根若しくは屋上又は地表に落下した雨水を樋又は溝により集め、この集めた水を貯水槽に導いてその内部に貯留するように構成される。そしてこのような設備には地上から内部に貯留された水を抜出し可能なポンプ等の排水手段が設けられ、この排水手段により内部に貯留された水を抜出してその水を利用できるように構成される。
【０００３】
従来、このような設備に使用される貯水槽であって、地下に比較的簡易に設置できるものとして、砂、砂礫、割石等からなる滞水材を積み上げたものが知られている。この貯水槽では、地下貯水槽を形成すべき場所を掘削し、その掘削した中央最下部分にシートを配置してその中央部分に砂、砂礫、割石等からなる滞水材を積上げ、その後、シートの周囲を立ち上げて滞水材の周囲をそのシートにより包囲し、滞水材の上面にシートの端部を載せることにより滞水材をそのシートにより包み込むことで形成される。この地下貯水槽では、砂、砂礫、割石等からなる滞水材の隙間に水が貯留するようになっている。しかし、上述した地下貯水槽では、シートにより包まれた空間において、砂、砂礫、割石等からなる滞水材が占める割合が比較的多く、雨水等の貯留量が比較的少ない問題点があった。
この点を解消するために、本出願人は複数本の剛性パイプと、その複数本の剛性パイプを互いに平行に連結するパイプ連結手段とを備えたパイプの集合体を滞水材として用いることを提案した（例えば、特許文献１参照。）。このようなパイプの集合体から成る滞水材では、シートにより包まれた体積中のその滞水材が占める割合を低下させて雨水の貯水量を増加させること期待されている。
【特許文献１】特開２０００−３０９９５８号公報（特許請求の範囲）
【発明の開示】
【発明が解決しようとする課題】
【０００４】
しかし、複数の剛性パイプを密着させて連結すると、使用する剛性パイプの量が比較的多くなり、その材料としての単価が押し上げられるとともに製造工程をも増加し、得られた貯水槽自体の単価が著しく押し上げられる不具合がある。使用する剛性パイプの量を減らすためには、水平方向に所定の間隔をあけて鉛直に立てられた複数本の剛性パイプをその所定の間隔を保った状態で連結手段により互いに連結することが考えられ、上記公報には連結棒が挿通された横パイプを介して複数本の剛性パイプを連結する例が示されている。しかし、連結棒が挿通された横パイプによる連結では、連結棒が剛性パイプに対して揺動可能であることから、その連結棒が揺動することに起因するパイプの集合体全体の変形を防止することができず、得られたパイプの集合体をシートで被包する際にその変形が生じるとその作業が比較的困難になる不具合がある。
本発明の目的は、比較的安価に作製できかつ比較的多くの雨水を貯留可能であって、各剛性パイプ間の連結力を高め得る貯水槽用パイプの集合体を提供することにある。
【課題を解決するための手段】
【０００５】
請求項１に係る発明は、図１０に示すように、水平方向に所定の間隔をあけて鉛直に立てられた複数本の剛性パイプ１４と、複数本の剛性パイプ１４を互いに平行に連結するパイプ連結手段１３とを備え、シート１２に被包されて貯水槽１０を構成するパイプの集合体１１の改良である。
その特徴ある構成は、図１に詳しく示すように、パイプ連結手段１３が、剛性パイプ１４のパイプ中心軸に直交しかつ一端又は両端が剛性パイプ１４の外周面から突出するように剛性パイプ１４に固定された固定板１６と、一の剛性パイプ１４に固定された一方の固定板１６と一の剛性パイプ１４に隣接する他の剛性パイプ１４に固定された他方の固定板１６を互いに締結する締結手段１７とを備えたところにある。
【０００６】
この請求項１に記載された貯水槽用パイプの集合体１１では、この集合体１１をシート１２で被包することにより貯水槽１０が得られ、シート１２により囲まれた空間に雨水を有効に貯留することができる。この場合、剛性パイプ１４がその空間を占める割合は、砂、砂礫、割石等からなる滞水材をシートで包んだ従来のものに比較して少なく、本発明の集合体１１を用いた貯水槽１０では従来のものより雨水の貯水量を増加させることができる。また、剛性パイプ１４は押出し成形で大量に作られる比較的安価なものを加工することにより作れば、地下貯水槽１０の単価が押上げられることを回避することもできる。
また、剛性パイプ１４を水平方向に所定の間隔をあけて連結手段１３により互いに連結するので、使用する剛性パイプ１４の量を減少させることができ、その使用量が増加することに起因してその単価が押し上げられることを回避することができる。また、パイプ連結手段１３は、剛性パイプ１４に固定された固定板１６とその固定板１６を互いに締結する締結手段１７とを備えているので、固定板１６が剛性パイプ１４に対して揺動するようなことはなく、各剛性パイプ１４間の連結力を高めることができる。このため、固定板１６が揺動することに起因するパイプの集合体１１の全体が変形するようなことは回避され、得られたパイプの集合体１１をシート１２で被包する際の作業性を従来より向上させることができる。
【０００７】
請求項２に係る発明は、請求項１に係る発明であって、更に図４〜図６に示すように、剛性パイプ１４に形成された取付孔１４ａに互いに直交するように一対の固定板１６，１６が挿通され、一対の固定板１６，１６の双方を剛性パイプ１４の内部で係合させることにより一対の固定板１６，１６が剛性パイプ１４に固定された貯水槽用パイプの集合体である。
この請求項２に記載された貯水槽用パイプの集合体では、取付孔１４ａに一対の固定板１６，１６を挿通させることにより一対の固定板１６，１６が剛性パイプ１４に対して揺動することを防止し、その固定板１６を隣接する他の剛性パイプ１４に固定された固定板１６に締結手段１７を介して締結することにより、得られたパイプの集合体１１の剛性を向上させてその変形を防止することができる。
【０００８】
請求項３に係る発明は、請求項２に係る発明であって、直交する一対の固定板１６，１６の係合が双方の一対の固定板１６，１６にそれぞれ形成された凹部１６ａ，１６ａを互いに嵌合させることにより行われる貯水槽用パイプの集合体である。
この請求項３に記載された貯水槽用パイプの集合体では、凹部１６ａ，１６ａを互いに嵌合させるだけの比較的単純な作業で一対の固定板１６，１６を剛性パイプ１４に比較的容易に固定することができる。
【０００９】
請求項４に係る発明は、請求項２又は３に係る発明であって、図５及び図６に示すように、一端が剛性パイプ１４の外周面から突出する固定板１６の他端がスペーサ部材１９を介して取付孔１４ａに装着された貯水槽用パイプの集合体である。
この請求項４に記載された貯水槽用パイプの集合体では、その角部又は各外辺に存在する剛性パイプ１４に対する一方の端部のみが外周面から突出する固定板１６の他端における取付強度を向上させることができ、係る取付強度の低下に起因する固定板１６の一端が剛性パイプ１４に対して揺動することを有効に防止することができる。
【００１０】
請求項５に係る発明は、請求項２ないし４いずれか１項に係る発明であって、取付孔１４ａの断面形状が固定板１６の断面形状より大きく形成され、取付孔１４ａに挿通された固定板１６の外周面と取付孔１４ａの内周面との隙間をくさび１８により塞ぐ貯水槽用パイプの集合体である。
この請求項５に記載された貯水槽用パイプの集合体では、取付孔１４ａの断面形状が固定板１６の断面形状より大きく形成されているため、その取付孔１４ａに挿通された固定板１６がその取付孔１４ａに対してがたつきが生じるけれども、その外周面と取付孔１４ａの内周面との隙間をくさび１８により塞ぐのでそのがたつきを有効に防止することができ、剛性パイプ１４に対する固定板１６の取付強度を向上させることができる。
【００１１】
請求項６に係る発明は、請求項１ないし５いずれか１項に係る発明であって、図２に示すように、締結手段１７が、一方の固定板１６と他方の固定板１６の双方に重合可能に構成された連結板２１と、一方の固定板１６と他方の固定板１６の双方に連結板２１を固定するねじ手段２２とを備えた貯水槽用パイプの集合体である。
この請求項６に記載された貯水槽用パイプの集合体では、一方の固定板１６と他方の固定板１６の双方に連結板２１を重合させてねじ手段２２によりそれらを固定するので、一の剛性パイプ１４に固定された一方の固定板１６とそれに隣接する剛性パイプ１４に固定された他方の固定板１６を比較的高い剛性により締結することができる。これにより、得られたパイプの集合体１１全体の剛性を向上させてその変形を確実に防止することができる。
【００１２】
請求項７に係る発明は、請求項６に係る発明であって、ねじ手段２２により一方の固定板１６と他方の固定板１６の双方に固定された連結板２１の上縁又は下縁が剛性パイプ１４の上端縁又は下端縁と面一になるように構成された貯水槽用パイプの集合体である。
この請求項７に記載された貯水槽用パイプの集合体では、これらを２段以上に積み上げて貯水槽１０を得る場合に、下に設置されるパイプの集合体１１の上縁が剛性パイプの上縁と固定板の上縁により構成され、その上に積み上げられるパイプの集合体１１の下縁が剛性パイプの下縁と固定板の下縁により構成されることになる。このため、上側に積上げられるパイプの集合体１１の安定性を向上させることができる。
【発明の効果】
【００１３】
本発明のパイプの集合体では、パイプ連結手段が剛性パイプに固定された固定板とその固定板を隣接する他の固定板に締結する締結手段とを備えたので、この集合体をシートで被包することにより得られた貯水槽の雨水の貯水量を増加させることができる。そして、剛性パイプを水平方向に所定の間隔をあけて連結手段により互いに連結するので、使用する剛性パイプの量を減少させることができ、その使用量が増加することに起因してその単価が押し上げられることを回避することができる。また、パイプ連結手段は、剛性パイプに固定された固定板とその固定板を互いに締結する締結手段とを備えているので、固定板が剛性パイプに対して揺動するようなことはなく、各剛性パイプ間の連結力を高めることができる。このため、固定板が揺動することに起因するパイプの集合体の全体が変形するようなことは回避され、得られたパイプの集合体をシートで被包する際の作業性を従来より向上させることができる。
【００１４】
また、剛性パイプに形成された取付孔に互いに直交するように一対の固定板を挿通し、それらの双方を係合させることにより剛性パイプに固定すれば、一対の固定板が剛性パイプに対して揺動することを防止することができ、その固定板を隣接する他方の固定板に締結することにより、得られたパイプの集合体の剛性を向上させてその変形を防止することができる。この場合、一対の固定板にそれぞれ形成された凹部を互いに嵌合させることによりそれらを係合すればその作業が比較的単純になり、一端が剛性パイプの外周面から突出する固定板の他端にスペーサ部材を設けて取付孔に装着すれば一方の端部のみが外周面から突出する固定板の他端における取付強度を向上させることができる。また、固定板の外周面と取付孔の内周面との隙間をくさびにより塞げば、固定板ががたつくことを防止することができ、剛性パイプに対する固定板の取付強度を更に向上させることができる。
【００１５】
更に、締結手段が、一方の固定板と他方の固定板の双方に重合可能に構成された連結板と、一方の固定板と他方の固定板の双方に連結板を固定するねじ手段とを備えれば、一の剛性パイプに固定された一方の固定板とそれに隣接する剛性パイプに固定された他方の固定板を比較的高い剛性により締結することができる。これにより、得られたパイプの集合体全体の剛性を向上させてその変形を確実に防止することができる。この場合、ねじ手段により固定された連結板の上縁又は下縁が剛性パイプの上端縁又は下端縁と面一になるように構成すれば、本発明の貯水槽用パイプの集合体を２段以上に積み上げて貯水槽を得る場合に、上側に積上げられるパイプの集合体の安定性を向上させることができる。
【発明を実施するための最良の形態】
【００１６】
次に本発明を実施するための最良の形態を図面に基づいて説明する。
図１０に示すように、この実施の形態における地下貯水槽１０は雨水の再利用を目的として設けられるものであって、パイプの集合体１１を遮水シート１２で包むことにより作られる。パイプの集合体１１はパイプ連結手段１３により複数本の剛性パイプ１４を互いに連結することにより作られ、複数本の剛性パイプ１４はそれぞれが鉛直方向を向いた状態で水平方向に互いに平行に配設される。この実施の形態における剛性パイプ１４は押出し成形された直径が２００〜８００ｍｍの塩化ビニール製のパイプであって、その長さが５０〜４００ｃｍのものが使用される。剛性パイプ１４の直径が直径が２００ｍｍ未満であるか或いはその長さが５０ｃｍ未満であると、貯水槽１０形成時における剛性パイプ１４の配置作業における工数が増加し、剛性パイプ１４の直径が８００ｍｍを越えるか或いはその長さが４００ｃｍを越えると剛性パイプ１４の運搬が困難になる。
【００１７】
図１に示すように、パイプ連結手段１３は、剛性パイプ１４のパイプ中心軸に直交しかつ一端又は両端がその剛性パイプ１４の外周面から突出するように剛性パイプ１４に固定された固定板１６と、一の剛性パイプ１４に固定された一方の固定板１６と一の剛性パイプ１４に隣接する他の剛性パイプ１４に固定された他方の固定板１６を互いに締結する締結手段１７とを備える。図４〜図６に示すように、固定板１６は剛性パイプ１４に形成された取付孔１４ａに挿通されて固定され、取付孔１４ａは剛性パイプ１４の両端近傍と中央部分（図１及び図２）に、円周方向に９０度の間隔をあけてこの取付孔１４ａに挿通される一対の固定板１６が互いに直交するようにそれぞれ形成される。そして、図１に示すように、剛性パイプ１４の両端近傍と中央部分のそれぞれの段における一対の固定板１６，１６は、その一端又は両端が剛性パイプ１４の外周面からそれぞれ同一方向に突出するように構成される。
【００１８】
各段における一対の固定板１６，１６の固定方法は同一であるので、上段部分に挿通された一対の固定板１６，１６を代表して説明すると、図４〜図６に示すように、剛性パイプ１４に形成された取付孔１４ａに直交するように挿通される一対の固定板１６，１６の剛性パイプ１４の内部に位置する部分にはそれぞれ凹部１６ａ，１６ａが形成される。取付孔１４ａの断面形状は固定板１６の断面形状より大きく形成され、直交する固定板１６の凹部１６ａを互いに嵌合させることにより、一対の固定板１６，１６の双方を剛性パイプ１４の内部で係合させる。そして、取付孔１４ａの断面形状が固定板１６の断面形状より大きく形成されるので、直交する固定板１６の凹部１６ａによる嵌合が開示されることを防止するために、取付孔１４ａに挿通された固定板１６の外周面と取付孔１４ａの内周面との隙間をくさび１８により塞ぐ、これにより一対の固定板１６，１６の軸方向における自由な移動が禁止されて剛性パイプ１４に固定される。
【００１９】
図１に戻って、複数の剛性パイプ１４は水平面における縦横に方形に配設され、水平方向に所定の間隔、この実施の形態では５０〜２００ｃｍのピッチＰ（図２）で鉛直に立てられた状態で連結手段１３により互いに平行に連結される。このため、角部における剛性パイプ１４の各段に直交して固定される固定板１６，１６は、双方がその一端をその剛性パイプ１４の外周面から突出するように剛性パイプ１４固定される（図６）。また、各外周辺に位置する剛性パイプ１４の各段に直交して固定される固定板１６，１６は、その一方がその一端を剛性パイプ１４の外周面から突出させ、その他方がその両端を剛性パイプ１４の外面から突出させる（図５）。そして内部に位置する剛性パイプ１４の各段に直交して固定される固定板１６，１６は、その双方がその両端を剛性パイプ１４の外面から突出させる（図４）。
【００２０】
図６に示す角部における剛性パイプ１４及び図５に示す各外周辺に位置する剛性パイプ１４に固定される固定板１６であって、その固定板１６の一端のみを剛性パイプ１４の外周面から突出させる場合、その固定板１６の他端はスペーサ部材１９を介して剛性パイプ１４に形成された取付孔１４ａに装着される。図７及び図８に示すように、このスペーサ部材１９は、取付孔１４ａ周囲の剛性パイプ１４内面に密着するフランジ部１９ａと、そのフランジ部１９ａから突出して形成され取付孔１４ａに挿入してその取付孔１４ａを塞ぎかつそ先端が剛性パイプ１４の外周面に滑らかに連続する突出部１９ｂと、その突出部１９ｂの反対側のフランジ部１９ａに形成され固定板１６の他端が挿入可能な有底穴１９ｃとを有する。図５及び図６に示すように、このスペーサ部材１９は剛性パイプ１４の内側から取付孔１４ａに装着され、図９に示すように、剛性パイプ１４に形成される取付孔１４ａにはこのスペーサ部材１９を外部から内部に侵入させるための大径部１４ｂが形成される。
【００２１】
図２及び図３に示すように、締結手段１７は、一の剛性パイプ１４に固定された一方の固定板１６とその一の剛性パイプ１４に隣接する他の剛性パイプ１４に固定された他方の固定板１６の双方に重合可能に構成された連結板２１と、それら一方の固定板１６と他方の固定板１６の双方にその連結板２１を固定するねじ手段２２とを備える。一方の固定板１６と他方の固定板１６の双方にはそれぞれ複数の挿通孔１６ｂが同一のピッチで形成され、連結板２１にはその挿通孔１６ｂに対応するように複数の連通孔２１ａが形成される。一方の固定板１６と他方の固定板１６の端縁を対向させた状態でそれらを一対の連結板２１，２１で両側から挟んで連通孔２１ａと挿通孔１６ｂをそれぞれ対応させる。ねじ手段２２はボルト２２ａとナット２２ｂからなり、ボルト２２ａを連通孔２１ａと挿通孔１６ｂに挿通させた後ナット２２ｂを螺合させることにより、一方の固定板１６と他方の固定板１６と一対の連結板２１とをそのねじ手段２２で固定し、これにより一の剛性パイプ１４に固定された一方の固定板１６と隣接する他の剛性パイプ１４に固定された他方の固定板１６を互いに締結する。
【００２２】
図１及び図２に示すように、連結板２１とねじ手段２２からなる締結手段１７により複数の剛性パイプ１４の各段に固定された固定板１６の全てを隣接する剛性パイプ１４の他方の固定板１６にそれぞれ連結するけれども、剛性パイプ１４の上段に固定された固定板１６を隣接する他方の固定板１６に固定させた連結板２１の上縁は剛性パイプ１４の上端縁と面一になるように連結板２１の幅寸法が決定され、剛性パイプ１４の下段に固定された固定板１６を隣接する他方の固定板１６に固定させた連結板２１の下縁は剛性パイプ１４の下端縁と面一になるように連結板２１の幅寸法が決定される。
【００２３】
なお、上述した実施の形態では、固定板１６を一対の連結板２１，２１で両側から挟んでねじ手段２２により固定する締結手段１３を説明したが、固定板１６の一方の側面に連結板２１を重合させてねじ手段２２により固定しても良い。また、ねじ手段は、固定板１６又は連結板２１のいずれか一方に形成された雌ねじと、その雌ねじに螺合するボルトから構成しても良い。更に、締結手段１３は、一の剛性パイプ１４に固定された一方の固定板１６とその一の剛性パイプ１４に隣接する他の剛性パイプ１４に固定された他方の固定板１６を直接ねじ止めするねじ手段であっても良い。
【００２４】
また、図２及び図３に示す連結板２１，２１は、連結する一の剛性パイプ１４と他の剛性パイプ１４の間の一部を埋めるような長さに形成される例を示したが、図１１及び図１２に示すように、連結板２１，２１は、連結する一の剛性パイプ１４と他の剛性パイプ１４の間の大部分を埋めるような長さに形成しても良い。このように一の剛性パイプ１４と他の剛性パイプ１４の間の大部分を連結板２１，２１により埋めることにより、その連結強度を更に向上させることができる。
【００２５】
次に本発明のパイプの集合体１１が２段に積重ねられて貯水槽が形成される手順について説明する。
図１０に示すように、本発明のパイプの集合体１１，１１の重ね合せは、地下貯水槽１０を形成すべき場所を掘削して遮水シート１２を配置した後に行われる。具体的に、地下貯水槽１０を形成するには、その地下貯水槽１０を形成すべき場所を必要な深さ、及び形状に従って掘削し、その中央最下部分に遮水シート１２を配置する。その後、遮水シート１２の中央部分にこの実施の形態では金属板から成る台板１０ａを敷き、この台板１０ａの上に先ず下段のパイプの集合体１１を形成する。この際、剛性パイプ１４を水平方向に所定の間隔をあけて連結手段１３により互いに連結することによりパイプの集合体１１を得るので、剛性パイプ１４を密着させる場合に比較して使用する剛性パイプ１４の量を減少させることができ、その使用量が増加することに起因してその単価が押し上げられることを回避することができる。また、パイプ連結手段１３は、剛性パイプ１４に固定された固定板１６とその固定板１６を互いに締結する締結手段１７とを備えているので、固定板１６が剛性パイプ１４に対して揺動するようなことはなく、各剛性パイプ１４間の連結力を高めることができる。
【００２６】
下段の集合体１１を形成した後にその上に金網１０ｆを介して上段のパイプの集合体１１を積上げる。この場合、剛性パイプ１４の上段に固定された固定板１６を固定する連結板２１の上縁を剛性パイプ１４の上端縁と面一にし、剛性パイプ１４の下段に固定された固定板１６を固定する連結板２１の下縁を剛性パイプ１４の下端縁と面一にしたので、下に設置されるパイプの集合体１１の上縁が剛性パイプの上縁と固定板の上縁により構成され、その上に積み上げられるパイプの集合体１１の下縁が剛性パイプの下縁と固定板の下縁により構成されることになる。このため、上側に積上げられるパイプの集合体１１の安定性を向上させることができる。
【００２７】
積上げられた集合体１１，１１は遮水シート１２により包み込まれる。遮水シート１２を包む前に、パイプの集合体１１，１１の上端及び側部の双方には金属板から成る剛性板２３が設けられる。遮水シート１２はこのように積重ねられかつ剛性板２３が設けられたパイプの集合体１１，１１の全体を包むように設けられる。具体的には、遮水シート１２の周囲を立ち上げてそのパイプの集合体１１全体をその剛性板２３とともにその遮水シート１２により包囲した後、上側に設けられた剛性板２３の上面にその端部を載せることによりパイプの集合体１１，１１全体を遮水シート１２により包み込み、このようにして貯水槽１０は形成される。この際、固定板１６が揺動することに起因するパイプの集合体１１の全体が変形するようなことは回避され、得られたパイプの集合体１１をシート１２で被包する際の作業性は従来より向上する。
【００２８】
このように作られた貯水槽１０には取水管１０ｄ、通気管１０ｂ、オーバフロー管１０ｃ及び排水パイプ２４ａが接続され、取水管１０ｄ、通気管１０ｂ、及び排水パイプ２４ａの上端が地表に表出するようにして貯水槽１０は埋め戻される。取水管１０ｄの上端はその後地表の雨水収集溝１０ｅ等に接続され、その溝１０ｅ等に集められた雨水を貯水槽１０に流入するように構成される。通気管１０ｂは取水管１０ｄからの水流入時又は後述する排水手段２４による水の排水時に内部エアを地上外部に放出し又は地上外部のエアを貯水槽１０の内部に流入させるように構成される。オーバフロー管１０ｃは貯水槽１０の内部容積を超える水の流入時に、その余剰水を貯水槽１０から地上外部又は図示しない他の貯水槽に導くように構成される。
【００２９】
また、埋め戻された貯水槽１０の上方であって排水パイプ２４ａの上端に位置する地表には貯水槽１０に貯留された水を取水可能な排水手段２４が設けられる。排水手段２４は下端が遮水シート１２を貫通して貯水槽１０の下部に達する排水パイプ２４ａと、地上に設けられその排水パイプ２４ａの上端から貯水槽１０内部の水を吸引しうる排水ポンプ２４ｂとにより構成される。この排水手段２４は排水ポンプ２４ｂにより排水パイプ２４ａを介して貯水槽１０内部の水を吸引して吐出パイプ２４ｃからその水を排出することにより貯水槽１０の水を外部から抜出し可能に構成される。
【００３０】
このように構成された地下貯水槽１０では、地表に落下した雨水は雨水収集溝１０ｅに集められ、取水管１０ｄを介して貯水槽１０の内部に流入し、この貯水槽１０は内部に流入したその雨水を貯留する。流入した雨水は当初いずれかの剛性パイプ１４の内部に侵入するが、その後他の剛性パイプ１４にもその雨水は流入し、遮水シート１２により囲まれた空間に雨水は有効に貯留される。この場合、剛性パイプ１４がその空間を占める割合は、砂、砂礫、割石等からなる滞水材を遮水シートで包んだ従来のものに比較して少なく、本発明の貯水槽１０は従来のものより雨水の貯水量が増加する。また、剛性パイプ１４は押出し成形で大量に作られる比較的安価な塩化ビニール性のものを加工することにより作られるので、高価な金型を使用して成形した滞水材と比較して安価であり、地下貯水槽１０の単価が押上げられることもない。
【図面の簡単な説明】
【００３１】
【図１】本発明実施形態のパイプの集合体を示す斜視図である。
【図２】その剛性パイプを連結する状態を示す正面図である。
【図３】その剛性パイプを連結する状態を示す上面図である。
【図４】一対の固定板の双方の両端を外面から突出させた剛性パイプの斜視図である。
【図５】一方の固定板の一端を外面から突出させ他方の固定板の両端を外面から突出させた剛性パイプの斜視図である。
【図６】一対の固定板の双方の一端のみを外面から突出させた剛性パイプの斜視図である。
【図７】図６のＡ−Ａ線断面図である。
【図８】図７のＢ−Ｂ線断面図である。
【図９】その剛性パイプ形成される取付孔の大径部にスペーサ部材を侵入させる状態を示す斜視図である。
【図１０】そのパイプの集合体を用いた地下貯水槽の構成を示す断面図である。
【図１１】本発明の別の剛性パイプを連結する状態を示す図２に対応する正面図である。
【図１２】その別の剛性パイプを連結する状態を示す図３に対応する上面図である。
【符号の説明】
【００３２】
１０  貯水槽
１１  パイプの集合体
１２  シート
１３  パイプ連結手段
１４  剛性パイプ
１４ａ  取付孔
１６  固定板
１６ａ  凹部
１７  締結手段
１８  くさび
１９  スペーサ部材
２１  連結板
２２  ねじ手段
【図１】
2005336877.tif 000003
【図２】
2005336877.tif 000004
【図３】
2005336877.tif 000005
【図４】
2005336877.tif 000006
【図５】
2005336877.tif 000007
【図６】
2005336877.tif 000008
【図７】
2005336877.tif 000009
【図８】
2005336877.tif 000010
【図９】
2005336877.tif 000011
【図１０】
2005336877.tif 000012
【図１１】
2005336877.tif 000013
【図１２】
2005336877.tif 000014